(57)【要約】【課題】テーブルタップに着脱され、電源を遮断することなく故障した装備を容易に入れ替える計測装置を提供する。【解決手段】テーブルタップを介して供給される交流電源から第１のデータを測定する検出モジュールと、測定された前記第１のデータを用いて第２のデータを算出する中央処理モジュールと、前記第１のデータ及び前記第２のデータが保存される保存モジュールと、を含む計測部と、ＲＥＭ装置とネットワークで接続され、通信プロトコルによって前記第１のデータ及び前記第２のデータのうち少なくとも何れか一つを前記ＲＥＭ装置に伝送する通信部と、を含み、テーブルタップを介して供給される交流入力が切断されることなく、テーブルタップ上に着脱される計測装置が提供される。【選択図】図２
2012078356.tif 000002
【特許請求の範囲】
【請求項１】
テーブルタップを介して供給される交流電源から第１のデータを測定する検出モジュールと、測定された前記第１のデータを用いて第２のデータを算出する中央処理モジュールと、前記第１のデータ及び前記第２のデータが保存される保存モジュールと、を含む計測部と、
ＲＥＭ装置とネットワークで接続され、通信プロトコルによって前記第１のデータ及び前記第２のデータのうち少なくとも何れか一つを前記ＲＥＭ装置に伝送する通信部と、を含み、
テーブルタップを介して供給される交流入力が切断されることなく、テーブルタップ上に着脱されることを特徴とする計測装置。
【請求項２】
前記計測部は、前記第１のデータ及び前記第２のデータのうち少なくとも何れか一つを表示するディスプレイ手段を含む表示モジュールをさらに含むことを特徴とする請求項１に記載の計測装置。
【請求項３】
前記表示モジュールは、前記第１のデータ及び前記第２のデータから選択された一つ以上の値を前記ディスプレイ手段に表示するように選択可能な入力手段をさらに含むことを特徴とする請求項２に記載の計測装置。
【請求項４】
前記計測部は、テーブルタップを介して供給される交流電源を整流したり、別の電源を用いて内部電源として供給したりする内部電源モジュールをさらに含むことを特徴とする請求項１に記載の計測装置。
【請求項５】
前記中央処理モジュールは、設定された閾値が存在する場合、前記第１のデータが前記閾値の範囲を外れるかを比較し、外れる場合には警報をさらに発生させ、
前記表示モジュールは、前記第１のデータ、前記第２のデータ及び前記閾値のうち一つ以上を表示して、
前記保存モジュールは、前記第１のデータ、前記第２のデータ及び前記閾値のうち一つ以上を保存することを特徴とする請求項２に記載の計測装置。
【請求項６】
前記警報は、前記ディスプレイ手段の点滅及び／または警報音を発生させることを特徴とする請求項５に記載の計測装置。
【請求項７】
前記表示モジュールは、前記閾値を設定及び変更したり、または前記第１のデータ及び前記第２のデータから選択された一つ以上の値を前記ディスプレイ手段に表示したりするように、入力または選択可能な入力手段をさらに含むことを特徴とする請求項５に記載の計測装置。
【請求項８】
前記通信プロトコルは、前記第１のデータ及び前記第２のデータの照会、閾値の照会、閾値の設定、警報の設定及び解除のうち何れか一つに対する指示または応答に対する命令コードを含むことを特徴とする請求項５に記載の計測装置。
【請求項９】
前記検出モジュールは温度センサをさらに備え、前記温度センサにより測定された温度は前記中央処理モジュールに伝送されることを特徴とする請求項５に記載の計測装置。
【請求項１０】
前記第１のデータは電流、電圧、周波数のうち何れか一つ以上であることを特徴とする請求項１乃至９の何れか一つに記載の計測装置。
【請求項１１】
前記第２のデータは電力、力率のうち何れか一つ以上であることを特徴とする請求項１乃至９の何れか一つに記載の計測装置。
【請求項１２】
テーブルタップを介して供給される交流電源から第１のデータを測定し、測定された前記第１のデータを用いて第２のデータを算出し、前記第１のデータ及び前記第２のデータのうち一つ以上を表示するディスプレイ手段を含み、前記第１のデータ、前記第２のデータ及び前記閾値のうち一つ以上を保存する計測部と、
ＲＥＭ装置と有線ネットワークで接続され、通信プロトコルによって前記ＲＥＭ装置と通信する通信部と、を含み、
前記テーブルタップを介して供給される交流入力が切断されることなく、テーブルタップ上に着脱される計測装置を複数個備え、
前記複数個の計測装置と前記ＲＥＭ装置とのネットワーク接続は、前記計測装置間のカスケード処理によって最終的に一つの線のみがＲＥＭ装置と接続されることを特徴とする計測システム。
【発明の詳細な説明】
【技術分野】
【０００１】
本発明は、着脱式計測装置に関する。より詳細には、供給される電源をそれぞれの機器に提供するテーブルタップに変流器（ＣＴ：Ｃｕｒｒｅｎｔ  Ｔｒａｎｓｆｏｒｍｅｒ）を内蔵した計測部及び通信部を接続することにより、電流、電圧などを容易に測定することができ、着脱によりその入れ替え及び管理が容易な計測装置に関する。
【背景技術】
【０００２】
ＩＤＣ（Ｉｎｔｅｒｎｅｔ  Ｄａｔａ  Ｃｅｎｔｅｒ）は、インターネットビジネスの成長に伴って生まれたものであり、企業及び個人顧客に電算設備やネットワーク設備を貸与したり、サーバなど顧客の設備を預かり、維持・保守などのサービスを提供したりする施設を言う。ＩＤＣでは、個別企業が運営するには負担が大きいサーバ装備及び通信装備の運営及び管理を代行するために、最先端設備とセキュリティシステム、完璧な通信ネットワークを備えている。従って、インターネット事業が大きく増加するに伴い、その需要も非常に増えている。
【０００３】
このような運営及び管理を事故なしに進行し、各装備に使用される電力当たり課金を正確に行うためには、各ラック（ｒａｃｋ）当たりに消費される電流、電圧、電力、力率（Ｐｏｗｅｒ  Ｆａｃｔｏｒ）などのデータ及び温度をリアルタイムで測定及び計算しなければならない。また、これに基づいて、もし発生するかも知れない事故に予め備え、正確に課金しなければならない。しかし、従来にはその使用負荷に対するリアルタイムデータ確保が不可能であったため、必要時毎に手作業で測定したり、別のプログラムを用いる高価の製品を全体ラックに設けて使用したりしなければならなかった。そのため、互換がなされないという問題点があった。
【０００４】
また、従来には、図１に示したように、Ａ部分には、電源を接続するケーブルが外装変流器（ＣＴ）の内部に巻かれるように設けられており、通信ケーブルも変流器に接続されている。変流器により測定される電流値は、高コストの通信ケーブルを介して特定位置に設けられたＲＥＭ（Ｒａｃｋ  Ｅｎｖｉｒｏｎｍｅｎｔ  Ｍａｎａｇｅｍｅｎｔ）装置に伝達されているが、ＲＥＭ装置が変流器から遠く離れている場合、ケーブルの長さが長くなるため、コストが増加するという問題が発生する。また、ＲＥＭ装置は、それぞれのラックに亘って設けられた多数の変流器から出るケーブルを全て接続しなければならないため、その接続端子が多くなり、その接続が複雑になるという問題点がある。また、変流器に故障が発生する場合、入れ替えのためには変流器に巻かれているケーブルを介して供給される電源を遮断するしかないため、２４時間続けてサービスを提供しなければならないＩＤＣにとっては、入れ替えに困難が多いという問題があった。
【先行技術文献】
【特許文献】
【０００５】
【特許文献１】特開２００７−２２１９７２号公報
【特許文献２】韓国登録特許第０５５１４５３号号公報
【特許文献３】特許第３３６９１５５号公報
【発明の概要】
【発明が解決しようとする課題】
【０００６】
本発明の目的は、テーブルタップに着脱され、電源を遮断することなく故障した装備を容易に入れ替える計測装置を提供することにある。
【０００７】
本発明の目的は、閾値を設定し、電源供給に異常が発生した時に警報を発生させる計測装置を提供することにある。
【０００８】
本発明の目的は、外部との通信時に汎用プロトコルを使用することにより、低コストでも電流、電圧などのデータがリアルタイムで得られる計測装置を提供することにある。
【０００９】
本発明の目的は、カスケード処理を行うことにより、ＲＥＭ装置への接続数を減らし、コストを低減する計測装置を提供することにある。
【課題を解決するための手段】
【００１０】
本発明の一実施形態に係る計測装置は、テーブルタップを介して供給される交流電源から第１のデータを測定する検出モジュールと、測定された前記第１のデータを用いて第２のデータを算出する中央処理モジュールと、前記第１のデータ及び前記第２のデータが保存される保存モジュールと、を含む計測部と、ＲＥＭ装置とネットワークで接続され、通信プロトコルによって前記第１のデータ及び前記第２のデータのうち少なくとも何れか一つを前記ＲＥＭ装置に伝送する通信部と、を含み、テーブルタップを介して供給される交流入力が切断されることなく、テーブルタップ上に着脱されることを特徴とする。
【００１１】
前記計測部は、前記第１のデータ及び前記第２のデータのうち少なくとも何れか一つを表示するディスプレイ手段を含む表示モジュールをさらに有してもよい。
【００１２】
また、前記表示モジュールは、前記第１のデータ及び前記第２のデータから選択された一つ以上の値を前記ディスプレイ手段に表示するように選択可能な入力手段をさらに含んでもよい。
【００１３】
また、前記通信プロトコルは、ＲＳ４８５プロトコルであることが好ましい。
【００１４】
また、前記計測部は、テーブルタップを介して供給される交流電源を整流して、別の電源を用いて内部電源として供給する内部電源モジュールをさらに含んでもよい。
【００１５】
また、前記第１のデータは電流、電圧及び周波数のうち何れか一つ以上であることが好ましく、前記第２のデータは電力及び力率のうち何れか一つ以上であることが好ましい。
【００１６】
本発明の他の実施形態に係る計測装置は、テーブルタップを介して供給される交流電源から第１のデータを測定する検出モジュールと、測定された前記第１のデータを用いて第２のデータを算出し、設定された閾値が存在する場合、前記第１のデータが前記閾値の範囲を外れるかを比較し、外れる場合には警報を発生させる中央処理モジュールと、前記第１のデータ、前記第２のデータ及び前記閾値のうち一つ以上を表示するディスプレイ手段を含む表示モジュールと、前記第１のデータ、前記第２のデータ及び前記閾値のうち一つ以上が保存される保存モジュールと、を含む計測部と、ＲＥＭ装置とネットワークで接続され、通信プロトコルによって前記ＲＥＭ装置と通信する通信部と、を含み、テーブルタップを介して供給される交流入力が切断されることなく、テーブルタップ上に着脱されることを特徴とする。
【００１７】
前記警報は、前記ディスプレイ手段の点滅及び／または警報音を発生させることが好ましい。
【００１８】
また、前記表示モジュールは、前記閾値を設定及び変更したり、または前記第１のデータ及び前記第２のデータから選択された一つ以上の値を前記ディスプレイ手段に表示したりするように、入力または選択可能な入力手段をさらに含んでもよい。
【００１９】
前記通信プロトコルは、前記第１のデータ及び前記第２のデータの照会、閾値の照会、閾値の設定、警報の設定及び解除のうち何れか一つに対する指示または応答に対する命令コードを含んでもよい。
【００２０】
また、前記第１のデータは電流、電圧、周波数のうち何れか一つ以上であることが好ましく、前記第２のデータは電力、力率のうち何れか一つ以上であることが好ましい。
【００２１】
また、前記検出モジュールは温度センサをさらに備え、前記温度センサにより測定された温度は前記中央処理モジュールに伝送されることが好ましい。
【００２２】
本発明の一実施形態に係る計測システムは、テーブルタップを介して供給される交流電源から第１のデータを測定し、測定された前記第１のデータを用いて第２のデータを算出し、前記第１のデータ及び前記第２のデータのうち一つ以上を表示するディスプレイ手段を含み、前記第１のデータ、前記第２のデータ及び前記閾値のうち一つ以上を保存する計測部と、ＲＥＭ装置と有線ネットワークで接続され、通信プロトコルによって前記ＲＥＭ装置と通信する通信部と、を含み、テーブルタップを介して供給される交流入力が切断されることなく、テーブルタップ上に着脱される計測装置を複数個備え、前記複数個の計測装置と前記ＲＥＭ装置とのネットワーク接続は、計測装置間のカスケード処理によって最終的に一つの線のみがＲＥＭ装置と接続されることを特徴とする。
【発明の効果】
【００２３】
本発明によると、テーブルタップを介して供給される電圧、電流、力率などの値をリアルタイムで測定することができ、電源を遮断しなくても着脱が可能であるため、故障した測定装置を容易に入れ替える計測装置を提供することができる。
【００２４】
また、本発明によると、閾値を設定し、測定された数値が閾値の範囲を外れる場合には警報を発生させて、異常有無を容易に把握する計測装置を提供することができる。
【００２５】
また、本発明によると、カスケード処理を行うことにより、ＲＥＭ装置への接続数を減らし、システム構築時のコストを低減する計測装置を提供することができる。
【図面の簡単な説明】
【００２６】
【図１】従来の変流器及び測定値を伝送するためのケーブルを撮影した図面である。
【図２】本発明の一実施形態に係る変流器を内蔵した計測装置を含む測定管理システムを示したブロック図である。
【図３】本発明の一実施形態に係る計測部の詳細な構成を示す図面である。
【図４】本発明の一実施形態に係る表示モジュールの外観を撮影した図面である。
【図５】本発明の一実施形態に係る通信部とＲＥＭ装置との通信プロトコルを示した図面である。
【図６】図５の通信プロトコルにおいて、命令コード及びデータ領域の種類及びそのデータ構造を示した図面である。
【図７】本発明の一実施形態に係る計測装置を設けた時、既存の変流器及びケーブルが設けられていた部分を撮影した図面である。
【図８】本発明の一実施形態に係る計測装置がテーブルタップに付着された形態及び計測装置の計測部及び通信部が着脱された形態を撮影した図面である。
【発明を実施するための形態】
【００２７】
以下、添付した図面を参照して本発明の一実施形態を詳細に説明する。
【００２８】
図２は、本発明の一実施形態に係る変流器を内蔵した計測装置を含む測定管理システムを示したブロック図である。図２に示したように、測定管理システムは、計測部１００、１００’及び通信部２００、２００’で構成された本発明の一実施形態に係る計測装置１０、１０’と、ＲＥＭ（Ｒａｃｋ  Ｅｎｖｉｒｏｎｍｅｎｔ  Ｍａｎａｇｅｍｅｎｔ）装置２０と、ＥＭＳ（Ｅｎｖｉｒｏｎｍｅｎｔ  Ｍａｎａｇｅｍｅｎｔ  Ｓｙｓｔｅｍ）３０と、を含んで構成される。測定管理システムにおいて、計測装置１０、１０’及びＲＥＭ装置２０は複数個で存在してもよく、複数個の計測装置１０、１０’をまとめて計測システムと称してもよい。
【００２９】
それぞれの計測装置１０、１０’は計測部１００、１００’及び通信部２００、２００’で構成され、計測部１００、１００’は、ラックに電源を供給するテーブルタップと接続され、テーブルタップを介して供給される交流入力の電圧、電流及び周波数を測定し、測定された値を用いて電力、力率などに関するデータを算出してこれを表示するように構成される。一般的に、テーブルタップは、複数のコンセントを含むマルチタップの形態を有しているが、このような形態に限定されるものではなく、外部装置に電源を供給することができる器機であれば用いることが可能である。また、計測部１００は、ラックの特定位置に設けられた温度センサと接続することにより温度を測定し、これを表示するように構成されることができる。以下、電圧、電流、周波数及び温度などの測定値と、測定値を用いて算出した電力、力率などの算出値とを総称して計測値という。計測部１００を介した使用者の直接的な入力、または通信を介して計測部１００に表示される計測値の変更の要請を受ける場合、要請される計測値に対する表示が可能である。計測値は通信部に伝達され、電流または電圧に対して閾値を設定する場合、計測値のうち該当値が設定された閾値の範囲を超える場合には危険状況を知らせる警報を発生させるようにする。また、計測部１００は、テーブルタップに着脱式で装着されるため、故障時にその着脱及び入れ替えが容易であり、着脱及び入れ替え時にも、テーブルタップを介して供給される電源を遮断することがないように製作することができる。
【００３０】
通信部２００は、通信プロトコルを用いてＲＥＭ装置２０との通信を介して計測部１００により測定及び算出された計測値を伝送し、また、ＲＥＭ装置２０との通信を介して、計測値の提供、閾値の設定及び照会、警報の設定及び解除、そして計測装置ＩＤの変更設定などの機能をする。通信部２００とＲＥＭ装置２０とはネットワークで接続されており、そのネットワークは、ＵＴＰ（Ｕｎｓｈｉｌｄｅｄ  Ｔｗｉｓｔｅｄ  Ｐａｉｒ）ケーブルを利用した、または他のケーブルを利用した有線方式であってもよく、赤外線（ＩＲ）及びブルートゥース（Ｂｌｕｅｔｏｏｔｈ）などを含む無線方式で構築してもよい。その一実施形態として、通信部２００とＲＥＭ装置２０との接続がＵＴＰケーブルで接続されている場合、複数個のラックに装着されたそれぞれの計測装置１０、１０’の通信部２００から出るＵＴＰケーブルは、カスケード（ｃａｓｃａｄｉｎｇ）処理によって最終的に一つのＵＴＰケーブルのみがＲＥＭ装置２０に接続されるため、ＲＥＭ装置２０の入力端子数を減らすことができる。また、通信部２００とＲＥＭ装置２０との通信は、公知の通信プロトコルを用いてもよいが、その一例として、ＲＳ４８５プロトコルを用いることができる。また、通信部２００もテーブルタップに着脱式で装着されるため、故障時にその着脱及び入れ替えが容易であり、着脱及び入れ替え時にも、テーブルタップを介して供給される電源を遮断することがないように製作することができる。
【００３１】
計測部１００と通信部２００とは独立して製作され、そのそれぞれがテーブルタップに着脱式で装着されるため、テーブルタップを介して供給される電源を遮断することがないように製作することができる。また、他の実施形態によれば、計測部１００と通信部２００とは一体に構成され、計測部１００と通信部２００とを含む計測装置１０全体がテーブルタップから着脱されてもよい。
【００３２】
ＲＥＭ装置２０は自由に配置することができるが、一般的にはラックの下端に配置され、それぞれのまたは周辺に配置した一つ以上のラックで測定される電流、電圧などの値を受信し、ネットワークで接続された計測装置１０、１０’との通信プロトコルによる通信を行う。また、ＲＥＭ装置２０は、ＥＭＳ３０と有線または無線で接続され、通信プロトコルによる通信を介してそれぞれの計測装置１０、１０’から伝送される計測値をＥＭＳ３０に伝送し、ＥＭＳ３０の要請に応じて、計測値の提供、閾値の設定及び照会、警報の設定及び解除、そして計測装置ＩＤの変更設定などの機能をすることができる。
【００３３】
ＥＭＳ３０は、使用者がＩＤＣサーバルームの電流、電力、温度などを常時監視モニタリングすることができるようにするシステムであり、リアルタイムでそれぞれのラックで測定される測定値の変化状況を使用者に表示する。また、使用者のＥＭＳ３０を介した入力によって、それぞれのＲＥＭ装置２０との通信を介して、該当ラックの計測値の提供、閾値の設定及び照会、警報の設定及び解除、そして計測装置ＩＤの変更設定などの機能を有することができる。
【００３４】
図３は、本発明の一実施形態に係る計測部１００の詳細な構成を示す図面である。図３によると、計測部１００は、内部電源モジュール１１０と、検出モジュール１２０と、中央処理モジュール１３０と、表示モジュール１４０と、保存モジュール１５０と、を含んで構成される。
【００３５】
内部電源モジュール１１０は、テーブルタップ４０に供給される交流電源を整流し、内部電源として用いるようにするＡＣ／ＤＣコンバータを含むように構成される。また、本発明の他の実施形態によれば、テーブルタップの電源を内部電源として用いず、電池などを含む別の内部電源を提供するように構成してもよい。テーブルタップの電源を内部電源として用いず、計測部１００が別の内部電源を提供する場合、テーブルタップ４０を介して供給される交流電源が切断しなくても、即ち、テーブルタップ４０への電源を遮断しなくても、計測部１００の着脱が可能であるということは明らかである。また、テーブルタップ４０に供給される交流電源を整流し、計測部１００の内部電源として用いた場合にも、図３に示したように、計測部１００が交流電源に並列に接続すれば、テーブルタップ４０を介して供給される交流電源を切断しなくても計測部１００の着脱が可能である。しかし、必ずしも上述の二つの例に限定されるものではなく、テーブルタップ４０を介して供給される交流電源を切断しなくても着脱が可能であるように、計測部１００に多様な方式で電源を供給することができるであろう。通信部２００も上述の計測部１００のように用いることができるため、計測部１００及び通信部２００を含む計測装置１０も、テーブルタップを介して供給される交流電源を切断しなくてもテーブルタップ上に着脱が可能である。
【００３６】
検出モジュール１２０は、テーブルタップの以後で消費される値を測定するためのモジュールであり、測定するためにテーブルタップの交流電源と接続され、電圧を測定するための電圧検出部と、交流入力の周波数を検出するための周波数検出部と、内蔵された変流器に用いて電流を測定するための電流検出部と、を含み、測定された値は中央処理モジュール１３０に伝送される。ここで、測定された電圧及び電流はその実効値（ＲＭＳ）である。また、検出モジュール１２０は外部温度センサ（図示せず）と接続され、測定された温度を中央処理モジュール１３０に伝送してもよい。
【００３７】
中央処理モジュール１３０は、検出モジュール１２０から伝送された電圧、電流、周波数及び温度をまとめ、これを用いて力率及び電力を算出して、必要に応じて、このような計測値を保存モジュール１５０に保存することができる。ここで、計算される電力は有効電力であり、力率はパーセンテージ（％）に換算して求めることができる。また、中央処理モジュール１３０は、使用者が表示モジュール１４０を介して、またはＲＥＭ装置２０やＥＭＳ３０を介して表示モジュール１４０への表示を要請する計測値を表示モジュール１４０に伝送することができる。また、中央処理モジュール１３０は、通信部２００を介したＲＥＭ装置２０の要請に応答して、使用者が要請した計測値をＲＥＭ装置２０に伝送する。また、使用者が表示モジュール１４０、ＲＥＭ装置２０またはＥＭＳ３０を介して閾値を設定または変更する場合、その設定または変更された閾値を保存モジュール１５０に保存する機能をし、使用者が表示モジュール１４０、ＲＥＭ装置２０またはＥＭＳ３０を介して警報の設定または解除を要請する場合、その警報の設定または解除有無を保存モジュール１５０に保存する機能をする。また、警報の設定時、使用者によって既設定されて保存モジュール１５０に保存されている電流または電圧の閾値と、検出モジュール１２０から伝送された電圧及び／または電流の測定値と、を比較し、予め設定された閾値の範囲を外れる場合には警報を発生させることができる。ここで、警報は視覚的または聴覚的な方法で行うことができる。具体的には、例えば、ブザーを利用した聴覚的な警報音の発生、または表示モジュール１４０に含まれているディスプレイ手段の点滅を利用した視覚的な警報などを用いてもよく、二つの方法を同時に用いてもよい。このような警報は、使用者が表示モジュール１４０、ＲＥＭ装置２０またはＥＭＳ３０を介して解除を要請することができる。または、電圧及び／または電流の測定値が、予め設定された閾値の範囲内になると解除されるようにすることもできる。
【００３８】
表示モジュール１４０は、中央処理モジュール１３０から伝達された計測値を表示するディスプレイ手段を含み、ディスプレイ手段の一例として、ＦＮＤ（Ｆｌｅｘｉｂｌｅ  Ｎｕｍｅｒｉｃ  Ｄｉｓｐｌａｙ）などを用いることができる。表示モジュール１４０は、使用者の選択に応じて、中央処理モジュール１３０から伝送される計測値である電流、電圧、電力、温度または力率値を表示することができ、複数の計測値が交互に表示するように設定することもできる。また、表示モジュール１４０は、使用者が入力または選択する入力手段をさらに備えることができる。この場合、使用者は、入力手段を用いて表示しようとする値を選択し、電流または電圧に対する閾値を設定または変更し、警報の設定及び解除を設定する。使用者がどのような命令を要請するかに対する具体的な方式は、表示モジュール１４０に備えられる入力手段の種類及び使用者の便宜性に応じて多様な方式が可能であり、その一実施形態について、図４を参照して詳細に説明する。
【００３９】
使用者が入力手段を介して入力すると、入力された内容は中央処理モジュール１３０で判断して処理する。例えば、使用者によって入力された内容が特定計測値の表示である場合は、表示モジュール１４０により該当計測値が表示されるように処理し、閾値の設定または変更である場合は、新しい閾値を保存モジュール１５０に保存、または既存に保存された閾値を新たに入力された閾値に変更する。閾値が設定または変更された場合、中央処理モジュール１３０は、設定または変更された閾値と測定された電圧及び／または電流とを比較する。また、使用者によって入力された内容が警報の設定または解除である場合は、中央処理モジュール１３０は、保存モジュール１５０に保存された警報の設定状態を使用者の入力に応じて設定または解除する。また、警報が作動している時に、警報の解除が使用者によって入力される場合は、中央処理モジュール１３０は、表示モジュール１４０のディスプレイ手段及び／またはブザーの動作を中止させる方式で警報を解除することもできる。
【００４０】
保存モジュール１５０は、中央処理モジュール１３０によって使用され、測定または計算された電流、電圧、周波数、温度、電力及び／または力率値を保存することができる。また、使用者が電圧または電流の閾値に対して設定、変更する場合はその値を保存し、使用者が警報の設定状態に対して入力する場合は警報の設定状態を保存する。
【００４１】
図４は、本発明の一実施形態に係る表示モジュール１４０の外観を示す図面である。図４を参照して、その表示方法及び操作方法について具体的に説明する。
【００４２】
基本的には、電流測定値が０．０Ａである場合には電圧測定値を、電流測定値が存在する場合にはその値を、表示モジュール１４０のＦＮＤに表示するようにする。
【００４３】
また、ＦＮＤに表示される計測項目を変更することができる。例えば、▲（ＫＷ）ボタン１を短く押す場合、電力を示す文字Ｐを短い時間表示した後、電力計側値を表示し、▼（Ａ）ボタン２を短く押す場合、電流を示す文字Ａを短い時間表示した後、電流計側値を表示し、ＳＥＴ（Ｖ）ボタン３を短く押す場合、電圧を示す文字Ｖを短い時間表示した後、電圧計側値を表示し、▲（ＫＷ）ボタン１と▼（Ａ）ボタン２とを同時に押す場合、力率を示す文字ＰＦを短い時間表示した後、力率値を表示するようにする。
【００４４】
閾値を設定する具体的な例は次のとおりである。▼（Ａ）ボタン２またはＳＥＴ（Ｖ）ボタンを押して計測項目を電流または電圧に変更した後、ＳＥＴ（Ｖ）ボタン３を長く押すと、過電流または過電圧に対する閾値設定モードとなる。既存に設定された閾値が存在する場合は、過電流を示すＡＨまたは過電圧を示すＶＨが短い時間に表示された後、既設定された閾値が表示されると、▲（ＫＷ）ボタン１及び▼（Ａ）ボタン２を用いてそれを変更することができる。既存に設定された閾値が存在しない場合には、ドット（ｄｏｔ）を点滅する方式で使用者に知らせて、▲（ＫＷ）ボタン１及び▼（Ａ）ボタン２を用いて新しい閾値を入力する。
【００４５】
過電流または過電圧に対する閾値設定モードで、ＳＥＴ（Ｖ）ボタン３をさらに長く押すと、過電流または過電圧に対する閾値設定モードが終わり、次に低電流または低電圧に対する閾値設定モードになる。既存に設定された閾値が存在する場合は、低電流を示すＡＬまたは低電圧を示すＶＬが短い時間に表示された後、既保存された閾値が表示されると、▲（ＫＷ）ボタン１及び▼（Ａ）ボタン２を用いてそれを変更してもよい。既存に設定された閾値が存在しない場合には、ドット（ｄｏｔ）を点滅する方式で使用者に知らせて、▲（ＫＷ）ボタン１及び▼（Ａ）ボタン２を用いて新しい閾値を入力する。
【００４６】
▲（ＫＷ）ボタン１及び▼（Ａ）ボタン２を用いて閾値を入力する場合、ボタンを押す時間によって変更される値が変わるようにできる。例えば、▲（ＫＷ）ボタン１及び▼（Ａ）ボタン２を短く押す場合、電流は０．１Ａ単位で、電圧は１Ｖ単位で変更し、ボタンを長く押す場合、電流は１Ａ単位で、電圧は１０Ｖ単位で変更するように設計することができる。
【００４７】
閾値を入力または変更した後、ＳＥＴ（Ｖ）を短く押すことにより、入力または変更された閾値を最終保存することができる。この場合、閾値は保存モジュール１５０に保存され、表示モジュール１４０は閾値の入力前に最終選択された計測項目の計測値を表示する。
【００４８】
上述のような手順によって閾値の上限（過電流または過電圧）及び下限（低電流または低電圧）が決まると、中央処理モジュール１３０で測定された電圧または電流値と比較時、測定された値がここで入力された上限と下限の範囲を外れるかを比較する。
【００４９】
閾値設定モード中に、電流または電圧の閾値の設定を取り消すようにするために、閾値設定モードで何のボタンも押されずに１０秒が経過する場合は、今までの手順が取り消され、もっとも最近選択された計測項目の計測値を表示する。
【００５０】
図５は、本発明の一実施形態に係る通信部２００とＲＥＭ装置２０との通信プロトコルを示した図面である。
【００５１】
ＲＳ４８５プロトコルを利用した通信プロトコルの全体構成は、１バイトの長さを有する開始コードと、１バイトまたは２バイトの長さを有する目的地ＩＤ、２バイトまたは１バイトの長さを有する出発地ＩＤ、１バイトの長さを有する命令コードで構成された総４バイトの長さのヘッダと、命令コードの種類によってその長さが変わるデータ領域と、エラーチェックのために用いられる２バイトの長さを有するＣＲＣと、１バイトの長さを有する終了コードと、で構成される。
【００５２】
開始コードは０ｘ１５で、該当バイトを受信する時、通信部２００またはＲＥＭ装置２０はデータが受信されることを判断する。
【００５３】
出発地ＩＤは伝送する側のＩＤに該当するＡＳＣＩＩコード値、目的地ＩＤは受信する側のＩＤに該当するＡＳＣＩＩコード値であり、ＲＥＭ装置２０のＩＤとして１バイトを割り当て、通信部２００を含む計測装置１０のＩＤとして２バイトを割り当て、例えば、ＲＥＭ装置２０は１５（１〜１５）個のＩＤ、計測装置１０は２５５（１〜２５５）個のＩＤを有する。出発地ＩＤまたは目的地ＩＤの構成をみると、最初に出る値をＭＳＢ（Ｍｏｓｔ  Ｓｉｇｎｉｆｉｃａｎｔ  Ｂｙｔｅ）に定義し、その場合、ＩＤが２６（０ｘ１Ａ）である場合の２バイト構成は「１」、「Ａ」に該当するＡＳＣＩＩコード値である０ｘ３１（「１」）、０ｘ６５（「Ａ」）が伝送される。
【００５４】
ＣＲＣは、目的地ＩＤからデータ領域までの各バイトを加えた値であり、例えば、その値が２６（０ｘ１Ａ）である場合、０ｘ３１（「１」）、０ｘ６５（「Ａ」）が伝達される。通信部２００またはＲＥＭ装置２０で、データの受信時、受信されたＣＲＣ値と目的地ＩＤからデータ領域までの各バイトを加えた値とを比較することにより、データが途中で損失されることなく、全てのデータが到着したか確認し、受信されたＣＲＣ値と一致しない場合はエラーであると判断して、再伝送を要請するなどの必要な措置を取る。
【００５５】
終了コードはデータの伝送終了を意味し、その値は０ｘ０３である。該当バイトを受信する時、通信部２００またはＲＥＭ装置２０はデータ受信が完了したことを判断する。
【００５６】
命令コードは、それぞれの命令を示す部分であり、その命令の種類によってデータ領域のバイトの長さが変化される。その具体的な命令コード及びデータ領域の例については、図６を参照して詳細に説明する。
【００５７】
図６は、図５の通信プロトコルにおいて、命令コード及びデータ領域の種類及びそのデータ構造を示した図面である。
【００５８】
命令コードがＡＳＣＩＩコードとして「１」（０ｘ３１）である場合、測定値の照会及び警報の解除命令を意味する。この場合、データ領域の長さは２バイトである。警報を作動しないようにする警報の解除命令がある場合はデータ領域の一番目のバイトは「１」（０ｘ３１）を伝送し、解除命令がない場合は「０」（０ｘ３０）を伝送して、残りの一バイトは予備領域として残しておく。測定値の照会及び警報の解除命令を受信した場合、その応答は命令コードが「１」（０ｘ３１）から始まり、データ領域の長さは全体１２バイトであり、一番目の３バイトは測定電圧値を、二番目の３バイトは測定電流値を、三番目の２バイトは計算された力率値を、四番目の３バイトは計算された電力値を意味し、最後の１バイトは警報が設定されたかまたは解除されたかを意味する。データ領域はＡＳＣＩＩコードとして伝送され、各バイトのうち最初の値がＭＳＢに設定されるように定義し、例えば、電圧が２０９（０ｘ０Ｄ１）を示すと、順に「０」、「Ｄ」、「１」のＡＳＣＩＩコード値が伝送される。警報が設定されているとデータ領域の最後のバイトは「１」（０ｘ３１）の値を、解除されていると「０」（０ｘ３０）の値を有するように定義する。
【００５９】
命令コードがＡＳＣＩＩコードとして「２」（０ｘ３２）である場合、閾値の照会を意味するように定義する。この場合、データ領域の長さは２バイトである。データ領域の２バイトは全て予備領域として残されている。閾値の照会命令を受信した場合、その応答は、命令コード「２」から始まり、データ領域の長さは全体１２バイトであり、一番目の３バイトは閾電圧値を、二番目の３バイトは閾電流値を、三番目の３バイトは電力値を意味し、最後の３バイトは予備領域として残しておく。閾値の上限及び下限を伝送するために、命令コードを二回伝送する。また、他の実施形態としては、一番目の３バイト及び二番目の３バイトに、それぞれ上限閾値、下限閾値を意味するかまたはその反対の場合を意味するように値を指定し、この場合、予備領域または三番目の３バイトに、電圧値または電流値を示す値を指定する。このデータはＡＳＣＩＩコードとして伝送され、各バイトのうち最初の値がＭＳＢに設定されるように定義し、例えば、設定された閾電圧値が２６６（０ｘ１０Ａ）である場合、「１」、「０」、「Ａ」の値が順に伝送される。
【００６０】
命令コードがＡＳＣＩＩコードとして「３」（０ｘ３３）である場合、閾値の設定を意味するように定義する。この場合、データ領域の長さは９バイトである。データ領域の一番目の３バイトは設定する閾電圧値を、二番目の３バイトは設定する閾電流値を、そして最後の３バイトは電力値を意味する。閾値の上限と下限を伝送するために、命令コードを二回伝送する。また、他の実施形態としては、一番目の３バイト及び二番目の３バイトに、それぞれ上限閾値、下限閾値を意味するかまたはその反対の場合を意味するように値を指定し、この場合、三番目の３バイトに、電圧値または電流値を示す値を指定する。このデータはＡＳＣＩＩコードとして伝送され、各バイトのうち最初の値がＭＳＢに設定されるように定義し、例えば、閾電圧値が２６６（０ｘ１０Ａ）に設定される場合、「１」、「０」、「Ａ」の値が順に伝送される。閾値設定の命令を受信した場合、その応答は、命令コード「３」から始まり、データ領域の長さは全体９バイトであり、一番目の３バイトは設定された閾電圧値を、二番目の３バイトは設定された閾電流値を、そして最後の３バイトは電力値を返還する。閾値の上限と下限を伝送するために、命令コードを二回伝送する。また、他の実施形態としては、一番目の３バイト及び二番目の３バイトに、それぞれ上限閾値、下限閾値を意味するかまたはその反対の場合を意味するように値を指定し、この場合、三番目の３バイトに、電圧値または電流値を示す値を指定する。この場合にもＡＳＣＩＩコードとして伝送され、各バイトのうち最初の値がＭＳＢに設定されるように定義する。
【００６１】
命令コードがＡＳＣＩＩコードとして「Ｂ」（０ｘ６６）である場合、計測装置１０ＩＤの変更設定を意味するように定義する。この場合、データ領域の長さは２バイトである。データ領域は変更されるＩＤをＡＳＣＩＩコードとして示し、各バイトのうち最初の値がＭＳＢである。例えば、変更されるＩＤが６６（０ｘ４２）を示すと、「４」、「２」の値が伝送される。通信部２００は、これを受信して計測装置１０のＩＤを変更及び保存し、この命令に対する応答は別にない。
【００６２】
図７は、本発明の一実施形態に係る計測装置を設けた時、既存の変流器が設けられていた部分を撮影した図面である。図１のＡ部分と比較すると、それに対応する図７のＡ’部分には、電源を接続するケーブルによって巻かれた外装変流器（ＣＴ）が除去されており、故障時にも電源をオフしてから変流器を除去する必要がなく、また変流器に連結された通信ケーブルも整理されるため、コストを低減することができる。
【００６３】
図８は、本発明の一実施形態に係る計測装置がテーブルタップに付着された形態及び計測装置の計測部と通信部が着脱された形態を撮影した図面である。このように、計測部（図８のＣで表示された部分）または通信部（図８のＢで表示された部分）の故障時、テーブルタップを介して提供される電源に接続されたサーバ運営に関わらず、必要な部分を着脱して入れ替えすればよく、その操作が簡便で、継続的なサーバ運営が可能である。また、図８には示していないが、通信部を介して接続されたＵＴＰケーブルがカスケード処理されることにより、最終的に一つのＵＴＰケーブルのみがＲＥＭ装置に接続されるため、配線の複雑度、ケーブルコストなどを減少させることができる。
【００６４】
上述の本発明の実施形態は、例示のために記載したものであり、本発明に対して通常の知識を有する当業者であれば、本発明の思想と範囲内での多様な修正、変更、付加が可能であり、このような修正、変更及び付加は添付の特許請求範囲に属するとみなすべきである。
【図２】
2012078356.tif 000003
【図３】
2012078356.tif 000004
【図４】
2012078356.tif 000005
【図５】
2012078356.tif 000006
【図６】
2012078356.tif 000007
【図１】
2012078356.tif 000008
【図７】
2012078356.tif 000009
【図８】
2012078356.tif 000010